(57)【要約】[課題]実際の使用状況において電池を使用せずとも、電池の寿命を正確に推定できる算出装置等を提供すること。[解決手段]算出装置は、電池が所定の動作を行うことにより起こる満充電容量の劣化の度合を示す使用劣化値を、所定の満充電容量で充放電する電池の単位時間における満充電容量の劣化の度合を示す単位劣化値に基づいて算出する使用劣化値算出部と、所定の動作の基準となる基準動作を電池が行うことにより起こる満充電容量の劣化の度合を示す基準劣化値と、満充電容量が所定の劣化状態に達するまでに基準動作を繰り返すことができる回数である基準サイクル数と、使用劣化値とから、所定の劣化状態に達するまでに所定の動作を繰り返すことができる回数である使用サイクル数を算出する使用サイクル算出部を備える。
2017163994.tif 000002
【特許請求の範囲】
【請求項１】
電池が所定の動作を行うことにより起こる満充電容量の劣化の度合を示す使用劣化値を、所定の前記満充電容量で充放電する前記電池の単位時間における前記満充電容量の劣化の度合を示す単位劣化値に基づいて算出する使用劣化値算出手段と、
前記所定の動作の基準となる基準動作を前記電池が行うことにより起こる前記満充電容量の劣化の度合を示す基準劣化値と、前記満充電容量が所定の劣化状態に達するまでに前記基準動作を繰り返すことができる回数である基準サイクル数と、前記使用劣化値とから、前記所定の劣化状態に達するまでに前記所定の動作を繰り返すことができる回数である使用サイクル数を算出する使用サイクル算出手段と、
を備えた算出装置。
【請求項２】
前記単位劣化値は、前記単位時間において電池の充電又は放電により起こる前記満充電容量の劣化の度合を示す充放電単位劣化値、又は前記単位時間において電池の容量の保存により起こる前記満充電容量の劣化の度合を示す保存単位劣化値とを含む、
請求項１に記載の算出装置。
【請求項３】
前記充放電単位劣化値は、充電レート及び放電レートごとに、前記単位時間において電池の充電及び放電により起こる前記満充電容量の劣化の度合を示す、
請求項２に記載の算出装置。
【請求項４】
前記保存単位劣化値は、ＳＯＣごとに、前記単位時間において電池の容量の保存により起こる前記満充電容量の劣化の度合を示す、
請求項２に記載の算出装置。
【請求項５】
前記充放電単位劣化値及び前記保存単位劣化値の少なくとも一方は、単位時間における前記電池の平均温度ごとに、単位時間における前記満充電容量の劣化の度合を示す、
請求項２乃至４に記載の算出装置。
【請求項６】
電池が所定の動作を行うことにより起こる満充電容量の劣化の度合を示す使用劣化値を、所定の前記満充電容量で充放電する前記電池の単位時間における前記満充電容量の劣化の度合を示す単位劣化値に基づいて算出し、
前記所定の動作の基準となる基準動作を前記電池が行うことにより起こる前記満充電容量の劣化の度合を示す基準劣化値と、前記満充電容量が所定の劣化状態に達するまでに前記基準動作を繰り返すことができる回数である基準サイクル数と、前記使用劣化値とから、前記所定の劣化状態に達するまでに前記所定の動作を繰り返すことができる回数である使用サイクル数を算出する算出方法。
【請求項７】
電池が所定の動作を行うことにより起こる満充電容量の劣化の度合を示す使用劣化値を、所定の前記満充電容量で充放電する前記電池の単位時間における前記満充電容量の劣化の度合を示す単位劣化値に基づいて算出し、
前記所定の動作の基準となる基準動作を前記電池が行うことにより起こる前記満充電容量の劣化の度合を示す基準劣化値と、前記満充電容量が所定の劣化状態に達するまでに前記基準動作を繰り返すことができる回数である基準サイクル数と、前記使用劣化値とから、前記所定の劣化状態に達するまでに前記所定の動作を繰り返すことができる回数である使用サイクル数を算出する処理を、端末に行わせるプログラムを記憶した記憶媒体。
【発明の詳細な説明】
【技術分野】
【０００１】
本発明は、例えば、電池の寿命を推測する算出装置、算出方法及び算出プログラムである。
【背景技術】
【０００２】
特許文献１には、電池温度、出力電流およびＳＯＣ（Ｓｔａｔｅ  ｏｆ  Ｃｈａｒｇｅ）に基づいて、電池を構成する材料の摩耗による劣化に関連する摩耗劣化係数を算出することで摩耗に伴う劣化を推定する技術が開示されている。電池温度、出力電流およびＳＯＣは、電池からモータに供給される電力に伴って計測される。
【先行技術文献】
【特許文献】
【０００３】
【特許文献１】特開２０１３−２１３６９１号公報
【発明の概要】
【発明が解決しようとする課題】
【０００４】
しかし、特許文献１に記載されている発明では、電力が電池からモータへ出力されない限り、電池温度、電流およびＳＯＣを取得できないため、摩耗劣化係数を算出できない。また、電池温度、出力電流およびＳＯＣに基づく値は、電池の温度、充電状態及び通電量などの使用状況に応じて変動する。そのため、使用状況ごとにおける電池の劣化を推定するには、実際の使用状況において電池を使用する必要があった。さらに、特許文献１に記載されている発明では、電力が電池からモータへ出力されない限り、ＳＯＣを取得できない為、電力が電池からモータへ出力されていない場合は電池のＳＯＣに応じて生じる劣化を正確に推定できない。【０００５】
本発明の目的は、上述した課題を鑑み、実際の使用状況において電池を使用せずとも、電池の寿命を正確に推定できる算出装置、算出方法及び記憶媒体を提供することにある。
【課題を解決するための手段】
【０００６】
本発明に係る算出装置は、電池が所定の動作を行うことにより起こる満充電容量の劣化の度合を示す使用劣化値を、所定の満充電容量で充放電する電池の単位時間における満充電容量の劣化の度合を示す単位劣化値に基づいて算出する使用劣化値算出手段と、所定の動作の基準となる基準動作を電池が行うことにより起こる満充電容量の劣化の度合を示す基準劣化値と、満充電容量が所定の劣化状態に達するまでに基準動作を繰り返すことができる回数である基準サイクル数と、使用劣化値とから、所定の劣化状態に達するまでに所定の動作を繰り返すことができる回数である使用サイクル数を算出する使用サイクル算出手段と、を備えている。【０００７】
本発明に係る算出方法は、電池が所定の動作を行うことにより起こる満充電容量の劣化の度合を示す使用劣化値を、所定の満充電容量で充放電する電池の単位時間における満充電容量の劣化の度合を示す単位劣化値に基づいて算出し、所定の動作の基準となる基準動作を電池が行うことにより起こる満充電容量の劣化の度合を示す基準劣化値と、満充電容量が所定の劣化状態に達するまでに基準動作を繰り返すことができる回数である基準サイクル数と、使用劣化値とから、所定の劣化状態に達するまでに所定の動作を繰り返すことができる回数である使用サイクル数を算出する。【０００８】
本発明に係る記憶媒体は、電池が所定の動作を行うことにより起こる満充電容量の劣化の度合を示す使用劣化値を、所定の前記満充電容量で充放電する電池の単位時間における満充電容量の劣化の度合を示す単位劣化値に基づいて算出し、所定の動作の基準となる基準動作を電池が行うことにより起こる満充電容量の劣化の度合を示す基準劣化値と、満充電容量が所定の劣化状態に達するまでに基準動作を繰り返すことができる回数である基準サイクル数と、使用劣化値とから、所定の劣化状態に達するまでに所定の動作を繰り返すことができる回数である使用サイクル数を算出する処理を、端末に行わせるプログラムを記憶している。
【発明の効果】
【０００９】
本発明は、実際の使用状況において電池を使用せずとも、電池の寿命を正確に推定できる算出装置等を提供するものである。
【図面の簡単な説明】
【００１０】
【図１】本発明の第１の実施形態における算出装置の構成を示すブロック図である。
【図２】本発明の第１の実施形態における単位劣化値の一例を示す図である。
【図３】本発明の第１の実施形態における単位劣化値の一例を示す図である。
【図４】本発明の第１の実施形態における電池の満充電容量の劣化率の一例を示す図である。
【図５】本発明の第１の実施形態における電池の満充電容量の劣化率の一例を示す図である。
【図６】本発明の第１の実施形態における電池の満充電容量の劣化率の一例を示す図である。
【図７】本発明の第１の実施形態における電池の満充電容量の劣化率の一例を示す図である。
【図８】本発明の第１の実施形態における電池の満充電容量の劣化率の一例を示す図である。
【図９】本発明の第１の実施形態における電池の満充電容量の劣化率の一例を示す図である。
【図１０】本発明の第１の実施形態における電池の満充電容量の劣化率の一例を示す図である。
【図１１】本発明の第１の実施形態における電池の満充電容量の劣化率の一例を示す図である。
【図１２】本発明の第１の実施形態における電池の満充電容量の劣化率の一例を示す図である。
【図１３】本発明の第１の実施形態における電池の満充電容量の劣化率の一例を示す図である。
【図１４】本発明の第１の実施形態における電池の満充電容量の劣化率の一例を示す図である。
【図１５】本発明の第１の実施形態における電池の満充電容量の劣化率の一例を示す図である。
【図１６】本発明の第１の実施形態に記載の算出装置の動作を示した図である。
【図１７】本発明の第１の実施形態における所定の動作の一例を示した図である。
【図１８】本発明の第１の実施形態における基準動作の一例を示した図である。
【図１９】本発明の第１の実施形態における基準サイクル数の一例を示した図である。
【図２０】本発明の第１の実施形態における使用サイクル数の一例を示した図である。
【図２１】本発明の第２の実施形態における算出装置の構成を示したブロック図である。
【図２２】本発明の第２の実施形態に記載の算出装置の動作を示した図である。
【図２３】本発明の第１および第２の実施形態における算出装置等を実現する情報処理装置の一例を示す図である。
【発明を実施するための形態】
【００１１】
（第１の実施形態）
第１の実施形態における算出装置１０について図面に基づき説明する。図１は、算出装置１０の構成を示すブロック図である。算出装置１０は、単位劣化値設定部２０、使用劣化値算出部３０及び使用サイクル算出部４０を備えている。
【００１２】
単位劣化値設定部２０は、単位劣化値を設定する。単位劣化値は所定の満充電容量で充放電する電池の単位時間における満充電容量の劣化の度合を示す。より具体的には、単位劣化値は、電池が単位時間に亘って放電、充電又は容量の保存を行うことにより起こる満充電容量の劣化率（Ｃａｐａｃｉｔｙ  ｌｏｓｓ）に基づく値である。本実施形態における単位劣化値は、充放電単位劣化値と保存単位劣化値との少なくとも一方を含む。また、単位劣化値の設定方法は後述する。
【００１３】
保存単位劣化値は、単位時間において電池の容量の保存を実施することにより起こる満充電容量の劣化の度合を示す。容量の保存は、電池が自然放電のみを行っていることを指す。すなわち、容量の保存とは、電池が充電又は放電を行わず、単に放置されている状態を示す。さらに、例えば、保存単位劣化値は、ＳＯＣごとに、単位時間において電池の容量の保存を実施することにより起こる満充電容量の劣化の度合を示す。また、保存単位劣化値は、単位時間における電池の平均温度ごとに、単位時間における満充電容量の劣化の度合を示す。
【００１４】
図２は、所定のＳＯＣと所定の平均温度ごとに設定された保存単位劣化値を示す図である。図２に示されるように、保存単位劣化値のそれぞれは、特定の平均温度及び特定の保存ＳＯＣの組み合わせ毎に設定されている。本実施形態における保存単位劣化値は、平均温度２５℃、３５℃、４５℃及び、ＳＯＣ０％、ＳＯＣ５０％、ＳＯＣ１００％の組み合わせ毎に設定されている。例えば、平均温度が４５℃で、保存ＳＯＣが１００％である場合には、保存単位劣化値として、１．８が設定されている。本実施形態において、平均温度とは、電池を構成する各セルのカバーに備えられた不図示の各温度センサが測定した温度の平均である。
【００１５】
充放電単位劣化値は、単位時間において電池が充電又は放電を実施したことにより起こる満充電容量の劣化の度合を示す。さらに、例えば、充放電単位劣化値は、充電レート及び放電レートごとに、単位時間において電池の充電及び放電を実施することにより起こる満充電容量の劣化の度合を示す。また、充放電単位劣化値は、単位時間における電池の平均温度ごとに、単位時間における満充電容量の劣化の度合を示す。
【００１６】
図３は、所定の充電レート又は所定の放電レートと所定の平均温度の組み合わせ毎に設定された充放電単位劣化値を示す図である。図３に示すように、充放電単位劣化値のそれぞれは、特定の平均温度と特定の充電レート又は放電レートの組み合わせ毎に設定されている。本実施形態における充放電単位劣化値は、平均温度２５℃、３５℃、４５℃と、充電レート及び放電レート０．３Ｃ、１Ｃの組み合わせ毎に設定されている。例えば、平均温度が２５℃で、充放電レート又は放電レートが０．３Ｃである場合には、充放電単位劣化値として１が設定されている。
【００１７】
充電レート及び放電レートとは、満充電容量に相当する電流に対する放電時及び充電時の電流の相対的な比率である。充電レート及び放電レートの単位にはＣを用いる。放電レートが１Ｃとは、満充電容量まで充電されたセルを定電流放電して、1時間で放電終了となる電流値のことである。例えば、満充電容量が２．２Ａｈのセルでは、１Ｃ＝２．２Ａである。一方で、充電レートが１Ｃとは、充電されていないセルを定電流充電して、1時間で満充電容量まで充電される電流値のことである。また、放電レートが０．３Ｃとは、放電レートが１Ｃの電流の３０％に相当する電流値を指す。したがって、放電レートが０．３Ｃとは、満充電容量まで充電されたセルを定電流放電して、３時間２０分で放電終了となる電流値のことである。
【００１８】
使用劣化値算出部３０は、電池が所定の動作を行うことにより起こる満充電容量の劣化の度合を示す使用劣化値を、単位劣化値に基づいて算出する。
【００１９】
本実施形態における電池とは、主に蓄電池のことを示す。しかし、電池は、一次電池などであってもよい。所定の動作とは、電池が、放電、充電及び容量の保存のうち少なくともいずれかを実施することである。満充電容量は、電池が蓄えることのできる電気エネルギー量の上限である。また、満充電容量の劣化は、満充電容量の低下である。
【００２０】
また、本実施形態における単位時間は、１時間とする。したがって、単位劣化値は、充電、放電又は容量の保存をそれぞれ１時間行った場合における、電池の満充電容量の劣化率の度合を示す値である。例えば、図２を参照すると平均温度が４５℃の場合において、ＳＯＣ５０％での容量の保存を１時間実施する場合の保存単位劣化値は、１．５となる。また、図３を参照すると、平均温度が２５℃の場合において、充電レートが１Ｃでの放電を１時間に亘って実施する場合の充放電単位劣化値は、３となる。なお、単位時間は１時間とすると前述したが、単位時間は1時間以外の時間であってもよい。
【００２１】
使用劣化値算出部３０は、電池が所定の動作を行うことにより起こる満充電容量の劣化の度合を示す使用劣化値を、単位劣化値に基づいて算出する。本実施形態において使用劣化値算出部３０は、以下の式（１）に所定の動作の内容を当てはめることにより、使用劣化値を算出する。
使用劣化値＝Ａ×ｔ１＋Ｂ×ｔ２＋Ｃ×ｔ３…式（１）
Ａ＝（図２に示す保存単位劣化値）
Ｂ＝（図３に示す充放電単位劣化値）
Ｃ＝（図３に示す充放電単位劣化値）
ｔ１＝（容量の保存が行われる時間）／（単位時間）
ｔ２＝（充電が行われる時間）／（単位時間）
ｔ３＝（放電が行われる時間）／（単位時間）
上述した、Ａは、所定の動作における容量の保存を行う際の平均温度及び保存ＳＯＣによって特定される。またＢは、所定の動作における充電を行う際の平均温度及び充電レートによって特定される。またＣは、所定の動作における放電を行う際の平均温度及び放電レートによって特定される。またｔ１における（容量の保存が行われる時間）は、Ａを特定するのに用いられた平均温度及びＳＯＣの条件で、容量の保存を行う時間である。また、ｔ２における（充電が行われる時間）は、Ｂを特定するのに用いられた平均温度及び充電レートの条件で、充電を行う時間である。また、ｔ３における（放電が行われる時間）は、Ｃを特定するのに用いられた平均温度及び放電レートの条件で、放電を行う時間である。
【００２２】
本実施形態の電池は、ＣＣ（Ｃｏｎｓｔａｎｔ  Ｃｕｒｒｅｎｔ）−ＣＶ（Ｃｏｎｓｔａｎｔ  Ｖｏｌｔａｇｅ）（定電流定電圧充電）方法を充電に用いる。この電池は、ＣＣ充電の後にＣＶ充電を行う。したがって、式（１）のｔ２に示す（充電が行われる時間）は、ＣＣ充電を行った時間とＣＶ充電を行った時間との和となる。
【００２３】
所定の動作において、異なるＳＯＣや平均温度での容量の保存が行われる場合は、複数のＡを用いる。この場合、複数のＡは、式（１）において、Ａ１、Ａ２…Ａｎとして区別される。
【００２４】
所定の動作において、異なる放電レート、充電レート又は平均温度での充放電が行われる場合は、所定の動作において実施する充放電が対応する複数のＢ又はＣを用いる必要がある。この場合、複数のＢ又はＣは、式（１）において、Ｂ１、Ｂ２…Ｂｎ又はＣ１、Ｃ２…Ｃｎとして区別される。
【００２５】
所定の動作において、容量の保存、充電及び放電が、異なる平均温度、保存ＳＯＣ、充電レート及び放電レートにおいて行われるとする。この場合、所定の動作において実施される容量の保存及び充放電が対応する単位劣化値（Ａ，Ｂ、Ｃ）が複数用いられる。これに伴って、複数のｔ１、ｔ２及びｔ３が生じる。そして、複数のｔ１、ｔ２及びｔ３は、それぞれ、ｔ１−１、ｔ１−２…ｔ１−ｎと、ｔ２−１、ｔ２−２、ｔ２−ｎと、ｔ３−１、ｔ３−２、ｔ３−ｎとして区別される。
【００２６】
使用劣化値の算出方法の具体例を示す。例えば、図３に示すように、平均温度が２５℃の場合において、充電レートが１Ｃでの放電を実施した場合の単位劣化値は、３である。この場合において、さらに単位時間が１時間のときに、電池の平均温度が２５℃の場合において、電池が、充電レートが１Ｃの放電を２時間に亘って行うとする。この場合、図２及び図３にしたがって、以下のように、式（１）の、Ａは０、Ｂは０、Ｃは３、ｔ１は０、ｔ２は０、ｔ３は２となる。
【００２７】
使用劣化値＝０×０＋０×０＋３×２＝６
したがって、この場合の使用劣化値は６となる。
【００２８】
使用サイクル算出部４０は、基準劣化値、基準サイクル数及び使用劣化値から、使用サイクル数を算出する。以下に、基準劣化値、基準サイクル数及び使用サイクル数について、それぞれ説明する。なお、前述の通り、使用劣化値は、電池が所定の動作を行うことにより起こる満充電容量の劣化の度合を示す値である。
【００２９】
基準劣化値は、所定の動作の基準となる基準動作を電池が行うことにより起こる満充電容量の劣化の度合を示す。基準動作は、電池が、放電、充電及び容量の保存のうち少なくともいずれかを実施することである。基準劣化値は、以下の式（２）で表される。
基準劣化値＝Ｄ×ｔ４＋Ｅ×ｔ５＋Ｆ×ｔ６…式（２）
Ｄ＝（図２に示す保存単位劣化値）
Ｅ＝（図３に示す充放電単位劣化値）
Ｆ＝（図３に示す充放電単位劣化値）
ｔ４＝（容量の保存が行われる時間）／（単位時間）
ｔ５＝（充電が行われる時間）／（単位時間）
ｔ６＝（放電が行われる時間）／（単位時間）
上述したＤは、基準動作における容量の保存を行う際の平均温度及び保存ＳＯＣによって特定される。またＥは、基準動作における充電を行う際の平均温度及び充電レートによって特定される。またＣは、基準動作における放電を行う際の平均温度及び放電レートによって特定される。また、ｔ４における（容量の保存が行われる時間）は、Ｄを特定するのに用いられた平均温度及びＳＯＣの条件で、容量の保存を行った時間である。また、ｔ５における（充電が行われる時間）は、Ｅを特定するのに用いられた平均温度及び充電レートの条件で、充電を行った時間である。また、ｔ６における（放電が行われる時間）は、Ｆを特定するのに用いられた平均温度及び放電レートの条件で、放電を行った時間である。
【００３０】
電池の充電がＣＣ−ＣＶ方法により実施される場合、式（２）のｔ５に示す（充電が行われる時間）は、ＣＣ充電時間とＣＶ充電時間の和となる。なお、基準劣化値は、予め、使用サイクル算出部４０が備える不図示のメモリに保持されていても良い。また、基準劣化値は、使用サイクル算出部４０によって、算出されても良い。また、基準動作が複数ある場合において、基準劣化値は複数あっても良い。
【００３１】
基準動作において、異なるＳＯＣや平均温度での容量の保存が行われる場合は、複数のＤを用いる。この場合、複数のＤは、式（２）において、Ｄ１、Ｄ２…Ｄｎとして区別される。
【００３２】
基準動作において、異なる放電レート、充電レート又は平均温度での充放電が行われる場合は、複数のＥ又はＦを用いる必要がある。この場合、複数のＥ又はＦは、式（２）において、Ｅ１、Ｅ２…Ｅｎ又はＦ１、Ｆ２…Ｆｎとして区別される。
【００３３】
基準動作において、容量の保存、充電及び放電が、異なる平均温度、保存ＳＯＣ、充電レート及び放電レートにおいて行われるとする。この場合、所定の動作において実施される容量の保存及び充放電が対応する複数の単位劣化値（Ｄ、Ｅ、Ｆ）が用いられる。これに伴って、複数のｔ４、ｔ５又はｔ６が生じる。複数の時間は、それぞれ、ｔ４−１、ｔ４−２…ｔ４−ｎと、ｔ５−１、ｔ５−２、ｔ５−ｎと、ｔ６−１、ｔ６−２、ｔ６−ｎとして区別される。
【００３４】
基準劣化値の算出方法の具体例を示す。例えば、図３に示すように、平均温度が２５℃の場合において、充電レートが１Ｃでの放電を実施した場合の単位劣化値は、３である。また、平均温度が２５℃の場合において、充電レートが１Ｃでの充電を実施した場合の単位劣化値は、３である。この場合において、さらに単位時間が１時間であって、電池の平均温度が２５℃であるとする。この場合に、電池が、充電レートが１Ｃの放電と充電を１時間ずつ行うことを基準動作とする。この場合、以下のように、式（２）の、Ｃは０、Ｄは３、Ｅは３、ｔ４は０、ｔ５は１、ｔ６は１となる。
【００３５】
基準劣化値＝０×０＋３×１＋３×１＝６
したがって、この場合の基準劣化値は６となる。
【００３６】
基準サイクル数は、満充電容量が所定の劣化状態（ＳＯＨ（Ｓｔａｔｅ  ｏｆ  ｈｅａｌｔｈ））に達するまでに基準動作を繰り返すことができる回数である。ＳＯＨは、未使用の電池の満充電容量に対する使用後の電池の満充電容量の割合である。所定の劣化状態とは、蓄電池が寿命を迎えると判断されるときのＳＯＨである。例えば、ＳＯＨが５０％のときに、電池が寿命を迎えると判断されるものとする。この場合、基準サイクル数は、ＳＯＨが５０％に達するまでに、基準動作を繰り返すことができる回数となる。基準サイクル数は、予め、使用サイクル算出部４０が備える不図示のメモリに保持されていても良い。また、使用サイクル算出部４０は外部から基準サイクル数を取得しても良い。
【００３７】
使用サイクル数は、所定の劣化状態に達するまでに所定の動作を繰り返すことができる回数である。使用サイクル数は、使用サイクル算出部４０によって、基準劣化値、基準サイクル数及び使用劣化値に基づいて算出される。使用サイクル数は、具体的には、以下の式（３）によって求められる。
使用サイクル数＝Ｇ÷（Ｈ÷Ｉ）…式（３）
Ｇ＝基準サイクル数
Ｈ＝使用劣化値
Ｉ＝基準劣化値
使用サイクル数の算出方法の具体例を示す。例えば、基準劣化値が２、基準サイクル数が１００、使用劣化値が１であるとする。基準劣化値に対する使用劣化値の割合を求める。この場合、以下のように、式（３）のＧは１００、Ｈは１、Ｉは２となる。
【００３８】
使用サイクル数＝１００÷（１÷２）＝２００
したがって、使用サイクル算出部４０は、この場合、使用サイクル数を２００として算出する。
【００３９】
以上で、算出装置１０の構成について説明した。
【００４０】
次に、図４〜図１０を用いて、図２に示す保存単位劣化値の求め方を示す。図４〜図１０は、電池の満充電容量の劣化率の一例を示す図である。具体的には、図４〜図１０は以下のことを示す図である。
【００４１】
図４は、２５℃、３５℃又は４５℃のそれぞれの平均温度下で、電池がＳＯＣ５０％での容量の保存を実施した場合における、日数と容量劣化率の関係を示した図である。図５は、図４に示す日数と満充電容量の劣化率の関係をグラフで示した図である。図５に示す容量劣化率は日数に比例して増加している。図６は２５℃、３５℃又は４５℃のそれぞれの平均温度下で、電池がＳＯＣ１００％での容量の保存を実施した場合における、日数と満充電容量の劣化率の関係を示した図である。図７は、図６に示す日数と満充電容量の劣化率との関係をグラフで示した図である。図７に示す容量劣化率は日数に比例して増加している。図８は、２５℃、３５℃又は４５℃のそれぞれの平均温度下で、電池がＳＯＣ０％での容量の保存を実施した場合における、日数と満充電容量の劣化率の関係を示した図である。図９は、図８に示す日数と満充電容量の劣化率の関係をグラフで示した図である。図９に示す容量劣化率は日数に比例して増加している。
【００４２】
図１０は、容量の保存を３００日に亘って行った場合の、ＳＯＣと平均温度ごとの満充電容量の劣化率を示す。
【００４３】
すなわち、図１０は、３００日に亘って容量の保存を行うことによる満充電容量の劣化率を、図４、図６及び図８に示すデータから抽出して作成される。そして、図１０に示す満充電容量の劣化率のうち、平均温度が２５℃及びＳＯＣ５０％によって特定される９％を１とし、他の値を９％との相対値で表すことで、図２に示される値が設定される。例えば、図１０を参照すると、平均温度４５℃及びＳＯＣ０％に対応する３００日時点での、満充電容量劣化率は４．５％である。９％に対するこの満充電容量劣化率の割合は、０．５である。したがって、図２に示す保存単位劣化値のうち、平均温度４５℃及びＳＯＣ０％に対応する保存単位劣化値は、０．５となる。図２に示す他の保存単位劣化値も、このように設定される。以上の通り、図２に示す保存単位劣化値の設定方法を説明した。
【００４４】
次に、図１１〜図１５を用いて、図３に示す充放電単位劣化値の求め方を示す。図１１〜図１５は、満充電容量の劣化率を示す図である。具体的には、図１１〜図１５は以下のことを示す。
【００４５】
図１１は、２５℃、３５℃又は４５℃のそれぞれの平均温度下で、充電レート又は放電レートが０．３Ｃでの充電又は放電を実施した場合における、日数と満充電容量の劣化率の関係を示した図である。図１２は、図１１に示す日数と満充電容量の劣化率の関係をグラフで示した図である。図１２に示す容量劣化率は、日数に比例して増加している。図１３は、２５℃、３５℃又は４５℃のそれぞれの平均温度下で、充電レート又は放電レートが１Ｃでの充電又は放電を実施した場合における、日数と満充電容量の劣化率の関係を示した図である。図１４は、図１３に示す日数と満充電容量の劣化率の関係をグラフで示した図である。図１４に示す容量劣化率は、日数に比例して増加している。
【００４６】
図１５は、充電及び放電を３００日に亘って行った場合の、充電レート又は放電レートと平均温度ごとの満充電容量の劣化率を示す。
【００４７】
すなわち、図１５は、３００日に亘って充電又は放電を行うことによる満充電容量の劣化率を、図６及び図８に示すデータから抽出することにより作成される。図３に示す充放電単位劣化値は、前述したように、図１０に示す満充電容量の劣化率のうちの９％に対する、図１５に示す満充電容量の劣化率の割合を算出することによって求められる。例えば、図１５を参照すると、平均温度４５℃及び充電レート又は放電レート１Ｃに対応する３００日時点での、満充電容量劣化率は５４％である。この満充電容量劣化率の９％に対する割合は、６である。したがって、図３に示す充放電単位劣化値のうち、平均温度４５℃及び充電レート又は放電レート１Ｃに対応する保存単位劣化値は、６となる。図３に示す他の充放電単位劣化値も、このように設定される。以上の通り、図３に示す充放電単位劣化値の設定方法を説明した。
【００４８】
図２に示す保存単位劣化値や図３に示す充放電単位劣化値は、単位劣化値設定部２０が備える不図示のメモリに保持されていても良い。また、これらは、単位劣化値設定部２０が外部から取得しても良い。一方で、これらは、単位劣化値設定部２０によって、満充電容量の劣化率から求められても良い。
【００４９】
次に、算出装置１０の動作を、図１６を用いて説明する。図１６は算出装置１０の動作を示すフロー図である。図１７は、電池の平均温度が２５℃である場合の、ＣＣ−ＣＶ方式によって充電される電池の所定の動作の一例を示す図である。
【００５０】
算出装置１０は、図１７に示すような所定の動作に関する情報が使用劣化値算出部３０に入力されたことをきっかけに動作する。所定の動作に関する情報とは、保存ＳＯＣ、充電レート、放電レート、所定の動作において容量の保存が行われる時間、所定の動作において充電が行われる時間及び所定の動作において放電が行われる時間等を指す。
【００５１】
使用劣化値算出部３０は、図２及び図３に示すような単位劣化値から、電池が所定の動作を行うことにより起こる満充電容量の劣化の度合を示す使用劣化値を算出する（Ｓ１０１）。
【００５２】
Ｓ１０１の処理は、具体的には次のように行われる。使用劣化値算出部３０は、図１７に示すような情報から、電池の平均温度に関する情報や、充電、放電又は容量の保存が実施される時間に関する情報、充電レート、放電レート及び保存ＳＯＣに関する情報等を取得する。図１７には、電池が動作する時間や、充電レート、放電レート及び保存ＳＯＣを含む情報が示されている。図１７を参照すると、所定の動作は、ＳＯＣ０％の保存を３時間実施し、０．３Ｃの充電を４時間実施し、ＳＯＣ１００％の保存を０．５時間実施し、０．３Ｃの放電を３時間実施し、ＳＯＣ０％の保存を１３．５時間実施する動作である。所定の動作において、ＳＯＣ０％の保存は合計で１６．５時間行われている。所定の動作における０．３Ｃの充電時間である４時間では、ＣＣ充電は３時間実施され、ＣＶ充電は１時間実施する動作とする。使用劣化値算出部３０は、所定の動作に関する情報を式（１）に当てはめ、使用劣化値を算出する。この場合、式（１）のＡは０、Ａ１は１．２、Ｂは１、Ｃは１、ｔ１−１は１６．５、ｔ１−２は０．５、ｔ２は４、ｔ３は３となる。式（１）は、「使用劣化値＝０×１６．５＋１．２×０．５＋１×４＋１×３＝７．６」となる。したがって、使用劣化値算出部３０は、所定の動作における使用劣化値を７．６として算出する。
【００５３】
使用サイクル算出部４０は、基準劣化値、基準サイクル数及び使用劣化値から、使用サイクル数を算出する（Ｓ１０２）。
【００５４】
Ｓ１０２の処理を図１８、図１９、図２０を用いて説明する。
【００５５】
図１８は、電池の平均温度が２５℃である場合の電池の基準動作を示す図である。基準劣化値は、図１８に示す情報と単位劣化値から求められる。図１８を参照すると、基準動作は、ＳＯＣ０％での保存を５時間実施し、１Ｃでの充電を２時間実施し、１Ｃでの放電を１時間実施し、ＳＯＣ０％での保存を１６時間実施する動作である。基準動作では、ＳＯＣ０％の容量の保存が２１時間行われている。したがって、式（２）の、Ｄは０、Ｅは３、Ｆは３、ｔ４は２１、ｔ５は２、ｔ６は１となる。基準動作を（式２）に当てはめると、（式２）は、「基準劣化値＝０×２１＋３×２＋３×１＝９」となる。したがって、基準劣化値は９となる。基準劣化値は、予め、使用サイクル算出部３０が備える不図示のメモリに格納されていることが好ましい。一方で、基準劣化値は、図１８に示すような基準動作に関する情報から（式２）に従って算出されてもよい。
【００５６】
図１９は、劣化状態であるＳＯＨ（Ｓｔａｔｅ  ｏｆ  ｈｅａｌｔｈ）と、基準動作を繰り返した回数との関係を示す図である。図１９に示すように、ＳＯＨは、基準サイクルに比例して減少する。基準サイクル数は、図１９に示すような、劣化状態であるＳＯＨ（Ｓｔａｔｅ  ｏｆ  ｈｅａｌｔｈ）と基準動作を繰り返した回数との関係を示す情報から求められる。前述の通り、ＳＯＨは、未使用の電池の満充電容量に対する使用後の電池の満充電容量の割合である。前述の通り、所定の劣化状態とは、電池が寿命と判断されるときのＳＯＨである。本実施形態においては、ＳＯＨ５０％のときに、電池は寿命と判断されるものとする。すなわち、本実施形態における基準サイクル数は、満充電容量がＳＯＨ（Ｓｔａｔｅ  ｏｆ  ｈｅａｌｔｈ）５０％に達するまでに、基準動作を繰り返すことができる回数である３３７３である。基準サイクル数は、使用サイクル算出部４０が備えている不図示のメモリが保持していることが好ましい。一方で、基準サイクル数は、使用サイクル算出部４０の外部から入力されても良い。
【００５７】
図２０は、劣化状態であるＳＯＨと所定の動作を繰り返した回数との関係を示すグラフである。Ｓ１０２での処理では、使用サイクル算出部４０が、式（３）に従って、使用サイクル数を求めている。前述の通り、基準劣化値が９、基準サイクル数が３３７３、使用劣化値が７．６だとする。この場合、Ｇは９、Ｈは３３７３、Ｉは７．６であるため、式（３）は、次のようになる。
【００５８】
使用サイクル数＝３３７３÷（７．６÷９）＝４０１５…式（３）
したがって、使用サイクル算出部４０は、使用サイクル数として４０１５を算出する。
【００５９】
以上、算出装置１０の動作について説明した。
【００６０】
以上のように、本実施形態に示す算出装置１０は、使用劣化値算出部３０と、使用サイクル算出部４０を備えている。使用劣化値算出部３０は、使用劣化値を単位劣化値に基づいて算出する。使用劣化値は、電池が所定の動作を行うことにより起こる満充電容量の劣化の度合を示す。単位劣化値は、所定の満充電容量で充放電する電池の単位時間における満充電容量の劣化の度合を示す。使用サイクル算出部４０は、基準劣化値と、基準サイクル数と、使用劣化値とから、使用サイクル数を算出する。基準劣化値は、所定の動作の基準となる基準動作を電池が行うことにより起こる満充電容量の劣化の度合を示す。基準サイクル数は、満充電容量が所定の劣化状態に達するまでに基準動作を繰り返すことができる回数である。
【００６１】
このように、使用劣化値算出部３０は、単位劣化値に基づいて使用劣化値を求める。そして、使用サイクル算出部４０は、基準劣化値と、基準サイクル数と、使用劣化値とから、使用サイクル数を算出する。基準劣化値と、基準サイクル数と、使用劣化値は、電池からの出力を検出せずとも得られる値である。したがって、使用サイクル算出部４０は、運転中の電池の出力を検出せずとも、電池の寿命である使用サイクル数を算出できる。
【００６２】
よって、本実施形態に示す算出装置１０は、実際の使用状況において電池を使用せずとも、電池の寿命である使用サイクル数を正確に推定できる。
【００６３】
また、本実施形態における単位劣化値は、充放電単位劣化値又は保存単位劣化値との少なくとも一方を含む。充放電単位劣化値は、単位時間において電池の充電又は放電により起こる満充電容量の劣化の度合を示す。保存単位劣化値は、単位時間において電池の容量の保存により起こる満充電容量の劣化の度合を示す。この構成により、本実施形態に示す算出装置１０が用いる単位劣化値が充電と放電に対応することとなる。これによって、使用劣化値は、電池が所定の動作を行うことにより起こる満充電容量の劣化の度合を詳細に示した値となる。よって、本実施形態に示す算出装置１０は、より正しく電池の寿命である使用サイクル数を正確に推定できる。
【００６４】
また、本実施形態における充放電単位劣化値は、充電レート及び放電レートごとに、単位時間において電池の充電及び放電により起こる満充電容量の劣化の度合を示す。この構成により、本実施形態に示す算出装置１０が用いる充放電単位劣化値が充電レート及び放電レートごとに対応することとなる。これによって、使用劣化値は、電池が所定の動作を行うことにより起こる満充電容量の劣化の度合をさらに詳細に示した値となる。よって、本実施形態に示す算出装置１０は、より正しく電池の寿命である使用サイクル数を正確に推定できる。
【００６５】
また本実施形態における保存単位劣化値は、ＳＯＣごとに、単位時間において電池の容量の保存により起こる満充電容量の劣化の度合を示す。この構成により、本実施形態に示す算出装置１０が用いる保存単位劣化値がＳＯＣごとに対応することとなる。これによって、使用劣化値は、電池が所定の動作を行うことにより起こる満充電容量の劣化の度合をさらに詳細に示した値となる。よって、本実施形態に示す算出装置１０は、より正しく電池の寿命である使用サイクル数を正確に推定できる。
【００６６】
また、本実施形態における単位劣化値は、単位時間における電池の平均温度ごとに、単位時間における満充電容量の劣化の度合を示す。この構成により、本実施形態に示す算出装置１０が用いる単位劣化値が平均温度ごとに対応することとなる。これによって、使用劣化値は、電池が所定の動作を行うことにより起こる満充電容量の劣化の度合を詳細に示した値となる。よって、本実施形態に示す算出装置１０は、より正しく電池の寿命である使用サイクル数を正確に推定できる。
【００６７】
また、本実施形態に示す算出装置１０に関連する算出方法は、使用劣化値算出ステップと、使用サイクル算出ステップとを備えている。使用劣化値算出ステップは、使用劣化値を、単位劣化値に基づいて算出するステップである。使用劣化値は、電池が所定の動作を行うことにより起こる満充電容量の劣化の度合を示す値である。使用劣化値は、所定の満充電容量で充放電する電池の単位時間における満充電容量の劣化の度合を示す値である。使用サイクル算出ステップは、基準劣化値と、基準サイクル数と、使用劣化値とから、使用サイクル数を算出するステップである。基準劣化値は、所定の動作の基準となる基準動作を電池が行うことにより起こる満充電容量の劣化の度合を示す値である。基準サイクル数は、満充電容量が所定の劣化状態に達するまでに基準動作を繰り返すことができる回数である。使用サイクル数は、所定の劣化状態に達するまでに所定の動作を繰り返すことができる回数である。
【００６８】
算出装置１０に関連する算出方法は、算出装置１０と同等の効果を奏することができる。
【００６９】
また、本実施形態に示す算出装置１０に関連するプログラムは、使用劣化値算出ステップと、使用サイクル算出ステップとを含むプログラムである。
【００７０】
算出装置１０に関連するプログラムは、算出装置１０と同等の効果を奏することができる。
【００７１】
＜第２の実施形態＞
次に図２１を用いて、第２の実施形態に係る算出装置１００を説明する。図２１は算出装置１００の構成を示すブロック図である。
【００７２】
図２１に示されるように算出装置１００は、使用劣化値算出部３００と使用サイクル算出部４００とを備えている。
【００７３】
使用劣化値算出部３００は、使用劣化値を、単位劣化値に基づいて算出する。使用劣化値は、電池が所定の動作を行うことにより起こる満充電容量の劣化の度合を示す。単位劣化値は、所定の満充電容量で充放電する電池の単位時間における満充電容量の劣化の度合を示す。
【００７４】
使用サイクル算出部４００は、基準劣化値と、基準サイクル数と、使用劣化値とから、使用サイクル数を算出する。基準劣化値は、所定の動作の基準となる基準動作を電池が行うことにより起こる満充電容量の劣化の度合を示す。基準サイクル数は、満充電容量が所定の劣化状態に達するまでに基準動作を繰り返すことができる回数である。使用サイクル数は、所定の劣化状態に達するまでに所定の動作を繰り返すことができる回数である。
【００７５】
次に図２２を用いて、算出装置１００の動作を説明する。
【００７６】
使用劣化値算出部３００は、単位劣化値に基づいて使用劣化値を算出する（Ｓ２０１）。
【００７７】
使用サイクル算出部４００は、基準劣化値と、基準サイクル数と、使用劣化値とから、使用サイクル数を算出する（Ｓ２０２）。
【００７８】
以上、算出装置１００の動作について説明した。
【００７９】
以上のように、本実施形態に示す算出装置１００は、使用劣化値算出部３００と、使用サイクル算出部４００を備えている。使用劣化値算出部３００は、使用劣化値を単位劣化値に基づいて算出する。使用劣化値は、電池が所定の動作を行うことにより起こる満充電容量の劣化の度合を示す。単位劣化値は、所定の満充電容量で充放電する電池の単位時間における満充電容量の劣化の度合を示す。使用サイクル算出部４００は、基準劣化値と、基準サイクル数と、使用劣化値とから、使用サイクル数を算出する。基準劣化値は、所定の動作の基準となる基準動作を電池が行うことにより起こる満充電容量の劣化の度合を示す。基準サイクル数は、満充電容量が所定の劣化状態に達するまでに基準動作を繰り返すことができる回数である。
【００８０】
このように、使用劣化値算出部３００は、単位劣化値に基づいて使用劣化値を求める。そして、使用サイクル算出部４００は、基準劣化値と、基準サイクル数と、使用劣化値とから、使用サイクル数を算出する。これによって、使用サイクル算出部４００は、運転中の電池の出力を検出せずとも、電池の寿命である使用サイクル数を算出できる。
【００８１】
よって、本実施形態に示す算出装置１００は、実際の使用状況において電池を使用せずとも、電池の寿命である使用サイクル数を正確に推定できる。
【００８２】
なお、各装置又はシステムの各構成要素の一部又は全部は、例えば図２３に示すような情報処理装置１０００とプログラムとの任意の組み合わせにより実現される。図２３は、算出装置１０、及び算出装置１００等を実現する情報処理装置の一例を示す図である。情報処理装置１０００は、一例として、以下のような構成を含む。
【００８３】
・ＣＰＵ（Ｃｅｎｔｒａｌ  Ｐｒｏｃｅｓｓｉｎｇ  Ｕｎｉｔ）１００１
・ＲＯＭ（Ｒｅａｄ  Ｏｎｌｙ  Ｍｅｍｏｒｙ）１００２
・ＲＡＭ（Ｒａｎｄｏｍ  Ａｃｃｅｓｓ  Ｍｅｍｏｒｙ）１００３
・ＲＡＭ１００３にロードされるプログラム１００４
・プログラム１００４を格納する記憶装置１００５
・記録媒体１００６の読み書きを行うドライブ装置１００７
・通信ネットワーク１００９と接続する通信インターフェース１００８
・データの入出力を行う入出力インターフェース１０１０
・各構成要素を接続するバス１０１１
各実施形態における各装置の各構成要素は、これらの機能を実現するプログラム１００４をＣＰＵ１００１が取得して実行することで実現される。各装置の各構成要素の機能を実現するプログラム１００４は、例えば、予め記憶装置１００５やＲＡＭ１００３に格納されており、必要に応じてＣＰＵ１００１が読み出す。なお、プログラム１００４は、通信ネットワーク１００９を介してＣＰＵ１００１に供給されてもよいし、予め記録媒体１００６に格納されており、ドライブ装置１００７が当該プログラムを読み出してＣＰＵ１００１に供給してもよい。
【００８４】
各装置の実現方法には、様々な変形例がある。例えば、各装置は、構成要素毎にそれぞれ別個の情報処理装置１０００とプログラムとの任意の組み合わせにより実現されてもよい。また、各装置が備える複数の構成要素が、一つの情報処理装置１０００とプログラムとの任意の組み合わせにより実現されてもよい。
【００８５】
また、各装置の各構成要素の一部又は全部は、プロセッサ等を含む汎用または専用の回路 （ｃｉｒｃｕｉｔｒｙ）や、これらの組み合わせによって実現される。これらは、単一のチップ によって構成されてもよいし、バスを介して接続される複数のチップ によって構成されてもよい。各装置の各構成要素の一部又は全部は、上述した回路等とプログラムとの組み合わせによって実現されてもよい。
【００８６】
各装置の各構成要素の一部又は全部が複数の情報処理装置や回路等により実現される場合には、複数の情報処理装置や回路等は、集中配置されてもよいし、分散配置されてもよい。例えば、情報処理装置や回路等は、クライアントアンドサーバシステム、クラウドコンピューティングシステム等、各々が通信ネットワークを介して接続される形態として実現されてもよい。
【００８７】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００８８】
この出願は、２０１６年３月２３日に出願された日本出願特願２０１６−０５８７５３を基礎とする優先権を主張し、その開示の全てをここに取り込む。
【００８９】
上記の実施形態の一部または全部は、以下の付記のように記載され得るが、以下には限
られない。
（付記１）
電池が所定の動作を行うことにより起こる満充電容量の劣化の度合を示す使用劣化値を、所定の前記満充電容量で充放電する前記電池の単位時間における前記満充電容量の劣化の度合を示す単位劣化値に基づいて算出する使用劣化値算出手段と、
前記所定の動作の基準となる基準動作を前記電池が行うことにより起こる前記満充電容量の劣化の度合を示す基準劣化値と、前記満充電容量が所定の劣化状態に達するまでに前記基準動作を繰り返すことができる回数である基準サイクル数と、前記使用劣化値とから、前記所定の劣化状態に達するまでに前記所定の動作を繰り返すことができる回数である使用サイクル数を算出する使用サイクル算出手段と、
を備えた算出装置。
（付記２）
前記単位劣化値は、前記単位時間において電池の充電又は放電により起こる前記満充電容量の劣化の度合を示す充放電単位劣化値、又は前記単位時間において電池の容量の保存により起こる前記満充電容量の劣化の度合を示す保存単位劣化値とを含む、
付記１に記載の算出装置。
（付記３）
前記充放電単位劣化値は、充電レート及び放電レートごとに、前記単位時間において電池の充電及び放電により起こる前記満充電容量の劣化の度合を示す、
付記２に記載の算出装置。
（付記４）
前記保存単位劣化値は、ＳＯＣごとに、前記単位時間において電池の容量の保存により起こる前記満充電容量の劣化の度合を示す、
付記２に記載の算出装置。
（付記５）
前記充放電単位劣化値及び前記保存単位劣化値の少なくとも一方は、単位時間における前記電池の平均温度ごとに、単位時間における前記満充電容量の劣化の度合を示す、
付記２乃至４に記載の算出装置。
（付記６）
電池が所定の動作を行うことにより起こる満充電容量の劣化の度合を示す使用劣化値を、所定の前記満充電容量で充放電する前記電池の単位時間における前記満充電容量の劣化の度合を示す単位劣化値に基づいて算出し、
前記所定の動作の基準となる基準動作を前記電池が行うことにより起こる前記満充電容量の劣化の度合を示す基準劣化値と、前記満充電容量が所定の劣化状態に達するまでに前記基準動作を繰り返すことができる回数である基準サイクル数と、前記使用劣化値とから、前記所定の劣化状態に達するまでに前記所定の動作を繰り返すことができる回数である使用サイクル数を算出する算出方法。
（付記７）
電池が所定の動作を行うことにより起こる満充電容量の劣化の度合を示す使用劣化値を、所定の前記満充電容量で充放電する前記電池の単位時間における前記満充電容量の劣化の度合を示す単位劣化値に基づいて算出し、
前記所定の動作の基準となる基準動作を前記電池が行うことにより起こる前記満充電容量の劣化の度合を示す基準劣化値と、前記満充電容量が所定の劣化状態に達するまでに前記基準動作を繰り返すことができる回数である基準サイクル数と、前記使用劣化値とから、前記所定の劣化状態に達するまでに前記所定の動作を繰り返すことができる回数である使用サイクル数を算出する処理を、端末に行わせるプログラムを記憶した記憶媒体。
（付記８）
電池が所定の動作を行うことにより起こる満充電容量の劣化の度合を示す使用劣化値を、所定の前記満充電容量で充放電する前記電池の単位時間における前記満充電容量の劣化の度合を示す単位劣化値に基づいて算出する使用劣化値算出部と、
前記所定の動作の基準となる基準動作を前記電池が行うことにより起こる前記満充電容量の劣化の度合を示す基準劣化値と、前記満充電容量が所定の劣化状態に達するまでに前記基準動作を繰り返すことができる回数である基準サイクル数と、前記使用劣化値とから、前記所定の劣化状態に達するまでに前記所定の動作を繰り返すことができる回数である使用サイクル数を算出する使用サイクル算出部と、
を備えた算出装置。
（付記９）
前記単位劣化値は、前記単位時間において電池の充電又は放電により起こる前記満充電容量の劣化の度合を示す充放電単位劣化値、又は前記単位時間において電池の容量の保存により起こる前記満充電容量の劣化の度合を示す保存単位劣化値とを含む、
付記８に記載の算出装置。
（付記１０）
前記充放電単位劣化値は、充電レート及び放電レートごとに、前記単位時間において電池の充電及び放電により起こる前記満充電容量の劣化の度合を示す、
付記９に記載の算出装置。
（付記１１）
前記保存単位劣化値は、ＳＯＣごとに、前記単位時間において電池の容量の保存により起こる前記満充電容量の劣化の度合を示す、
付記９に記載の算出装置。
（付記１２）
前記充放電単位劣化値及び前記保存単位劣化値の少なくとも一方は、単位時間における前記電池の平均温度ごとに、単位時間における前記満充電容量の劣化の度合を示す、
付記９乃至１１に記載の算出装置。
（付記１３）
電池が所定の動作を行うことにより起こる満充電容量の劣化の度合を示す使用劣化値を、所定の前記満充電容量で充放電する前記電池の単位時間における前記満充電容量の劣化の度合を示す単位劣化値に基づいて算出する使用劣化値算出ステップと、
前記所定の動作の基準となる基準動作を前記電池が行うことにより起こる前記満充電容量の劣化の度合を示す基準劣化値と、前記満充電容量が所定の劣化状態に達するまでに前記基準動作を繰り返すことができる回数である基準サイクル数と、前記使用劣化値とから、前記所定の劣化状態に達するまでに前記所定の動作を繰り返すことができる回数である使用サイクル数を算出する使用サイクル算出ステップと、
を含む算出方法。
（付記１４）
電池が所定の動作を行うことにより起こる満充電容量の劣化の度合を示す使用劣化値を、所定の前記満充電容量で充放電する前記電池の単位時間における前記満充電容量の劣化の度合を示す単位劣化値に基づいて算出する使用劣化値算出ステップと、
前記所定の動作の基準となる基準動作を前記電池が行うことにより起こる前記満充電容量の劣化の度合を示す基準劣化値と、前記満充電容量が所定の劣化状態に達するまでに前記基準動作を繰り返すことができる回数である基準サイクル数と、前記使用劣化値とから、前記所定の劣化状態に達するまでに前記所定の動作を繰り返すことができる回数である使用サイクル数を算出する使用サイクル算出ステップと、
を含む処理を、端末に行わせるプログラム。
【符号の説明】
【００９０】
１０、１００  算出装置
２０  単位劣化値設定部
３０、３００  使用劣化値算出部
４０、４００  使用サイクル算出部
【図１】
2017163994.tif 000003
【図２】
2017163994.tif 000004
【図３】
2017163994.tif 000005
【図４】
2017163994.tif 000006
【図５】
2017163994.tif 000007
【図６】
2017163994.tif 000008
【図７】
2017163994.tif 000009
【図８】
2017163994.tif 000010
【図９】
2017163994.tif 000011
【図１０】
2017163994.tif 000012
【図１１】
2017163994.tif 000013
【図１２】
2017163994.tif 000014
【図１３】
2017163994.tif 000015
【図１４】
2017163994.tif 000016
【図１５】
2017163994.tif 000017
【図１６】
2017163994.tif 000018
【図１７】
2017163994.tif 000019
【図１８】
2017163994.tif 000020
【図１９】
2017163994.tif 000021
【図２０】
2017163994.tif 000022
【図２１】
2017163994.tif 000023
【図２２】
2017163994.tif 000024
【図２３】
2017163994.tif 000025
【手続補正書】
【提出日】平成30年9月3日(2018.9.3)
【手続補正１】
【補正対象書類名】特許請求の範囲
【補正対象項目名】請求項７
【補正方法】変更
【補正の内容】
【請求項７】
電池が所定の動作を行うことにより起こる満充電容量の劣化の度合を示す使用劣化値を、所定の前記満充電容量で充放電する前記電池の単位時間における前記満充電容量の劣化の度合を示す単位劣化値に基づいて算出し、
前記所定の動作の基準となる基準動作を前記電池が行うことにより起こる前記満充電容量の劣化の度合を示す基準劣化値と、前記満充電容量が所定の劣化状態に達するまでに前記基準動作を繰り返すことができる回数である基準サイクル数と、前記使用劣化値とから、前記所定の劣化状態に達するまでに前記所定の動作を繰り返すことができる回数である使用サイクル数を算出する処理を、端末に行わせるプログラム。
【国際調査報告】
2017163994.tif 000026
2017163994.tif 000027
2017163994.tif 000028
2017163994.tif 000029